(57)【特許請求の範囲】
【請求項１】
内部に電気泳動媒体を充填することができる一本以上のキャピラリを含むキャピラリアレイと、前記キャピラリアレイを支持するフレームと、前記キャピラリの陰極端を保持するロードヘッダと、を有するキャピラリアレイユニットであって、
前記フレームは、
前記キャピラリを分離し且つ保持する少なくとも１つのセパレータを有し、
前記キャピラリが前記セパレータを貫通することによって、前記キャピラリアレイは一定の形状に保持され、
前記キャピラリアレイは、
前記陰極端と反対側の端部に形成されたキャピラリヘッドと、
前記陰極端と前記キャピラリヘッドの間に設けられた検出部と、
を有し、
前記キャピラリアレイは、
前記フレームより突出した直線状の部分と前記フレームに保持された残余の湾曲状の部分とからなり、前記直線状の部分は先端に前記キャピラリヘッドを有し、前記湾曲状の部分は一端に前記陰極端を有し、
前記フレームは、
前記ロードヘッダに固定された第１及び第２の足と、
前記第１及び第２の足にそれぞれ接続された第１及び第２の支持部と、
前記第１及び第２の支持部を接続する接続部と、
前記第１及び第２の足の間を架橋する第１のブリッジと、
前記第１及び第２の支持部の間を架橋する第２のブリッジと、
を有し、
前記キャピラリアレイを１平面上に保持するように構成されている
ことを特徴とするキャピラリアレイユニット。
【請求項２】
請求項１に記載のキャピラリアレイユニットと、
前記キャピラリアレイを一定の温度に保持するオーブンと、
前記キャピラリヘッドに接続され、前記キャピラリに電気泳動媒体を注入するための注入機構と、
励起光を照射するための光源と蛍光を検出するための受光部を備えた光学検出部と、
を有することを特徴とするキャピラリ電気泳動装置。
【請求項３】
内部に電気泳動媒体を充填することができる一本以上のキャピラリを含むキャピラリアレイと、前記キャピラリアレイを支持するフレームと、前記キャピラリの陰極端を保持するロードヘッダと、を有するキャピラリアレイユニットであって、
前記フレームは、
前記キャピラリを分離し且つ保持する少なくとも１つのセパレータを有し、
前記キャピラリが前記セパレータを貫通することによって、前記キャピラリアレイは一定の形状に保持され、
前記キャピラリアレイは、
前記陰極端と反対側の端部に形成されたキャピラリヘッドと、
前記陰極端と前記キャピラリヘッドの間に設けられた検出部と、
を有し、
前記キャピラリアレイは、
前記フレームより突出した直線状の部分と前記フレームに保持された残余の湾曲状の部分とからなり、前記直線状の部分は先端に前記キャピラリヘッドを有し、前記湾曲状の部分は一端に前記陰極端を有するキャピラリアレイユニットと、
前記キャピラリアレイを一定の温度に保持するオーブンと、
前記キャピラリに電気泳動媒体を注入するための注入機構と、
励起光を照射するための光源と蛍光を検出するための受光部を備えた光学検出部と、
を有するキャピラリ電気泳動装置であって、
前記キャピラリヘッドは、
前記検出部より低い位置に配置されるように、前記直線状の部分は傾斜して配置されている
ことを特徴とするキャピラリ電気泳動装置。
【請求項４】
請求項１に記載のキャピラリアレイユニットと、
前記キャピラリアレイを一定の温度に保持するオーブンと、
前記キャピラリに電気泳動媒体を注入するための注入機構と、
励起光を照射するための光源と蛍光を検出するための受光部を備えた光学検出部と、
を有するキャピラリ電気泳動装置であって、
前記キャピラリヘッドは、
前記検出部より低い位置に配置されるように、前記直線状の部分は傾斜して配置されている
ことを特徴とするキャピラリ電気泳動装置。
【請求項５】
請求項３又は４に記載のキャピラリ電気泳動装置において、
前記キャピラリヘッド、前記検出部、及び、前記少なくとも１つのセパレータは、１つの直線に沿って配置されている
ことを特徴とするキャピラリ電気泳動装置。
【請求項６】
請求項３又は４に記載のキャピラリ電気泳動装置において、
前記キャピラリアレイユニットを電気泳動装置に装着した後の前記キャピラリヘッドと
前記検出部の間の相対的な位置は、前記キャピラリアレイユニットを電気泳動装置に装着
する前の前記キャピラリヘッドと前記検出部の間の相対的な位置と同一となるように構成
されている
ことを特徴とするキャピラリ電気泳動装置。
【請求項７】
請求項５に記載のキャピラリ電気泳動装置において、
前記キャピラリアレイユニットを電気泳動装置に装着した後の前記キャピラリアレイの
形状は、前記キャピラリアレイユニットを電気泳動装置に装着する前の前記キャピラリア
レイの形状と同一となるように構成されている
ことを特徴とするキャピラリ電気泳動装置。
【発明の詳細な説明】
【技術分野】
【０００１】
本発明は、キャピラリアレイユニット及びそれを用いるキャピラリ電気泳動装置に関する。
【背景技術】
【０００２】
キャピラリ電気泳動法は、デオキシリボ核酸（ＤＮＡ）をはじめ、多くの生体試料を分離分析する技術として広く普及している。その技術的な利点の一つは、キャピラリの表面積対体積率から生まれる、優れた放熱特性である。この放熱特性が、高電圧を用いた電気泳動による、高速で高分解能な試料分離を実現している。
【０００３】
特開２００１−２８１２２１号公報には、分離媒体であるポリマをキャピラリに充填するためのポンプ機構が開示されている。更に、ポリマ充填のための圧力を発生させる手段として、モータの停動トルクを利用する手法が開示されている。
【０００４】
特開２００１−３２４４７３号公報には、分析の種類や、ユーザが必要とするスループットに応じて、長さ、あるいは本数の異なるキャピラリを収容可能なオーブンを備えた電気泳動装置が開示されている。更に、このオーブンは、熱源としてペルチェ素子を用い、室温以下の温度から５０℃以上の温度まで設定できる。
【０００５】
特開２００１−３２４４７５号公報には、ユーザが交換できる形態のキャピラリアレイが開示されている。キャピラリアレイは、試料導入側端部、光学検出部、ポリマ溶液供給端部の３ヶ所で保持される構造となっている。キャピラリアレイのポリマ溶液供給端部は、電気泳動装置のポンプ機構に接続される。
【先行技術文献】
【特許文献】
【０００６】
【特許文献１】特開２００１−２８１２２１号公報
【特許文献２】特開２００１−３２４４７３号公報
【特許文献３】特開２００１−３２４４７５号公報
【発明の概要】
【発明が解決しようとする課題】
【０００７】
キャピラリ電気泳動装置では、試料やアプリケーションの種類が変化すると、それに応じて、キャピラリアレイを交換する。キャピラリアレイの交換は、ユーザが行う。キャピラリには、比較的剛性が強いタイプのものと、比較的柔軟性があるタイプのものがある。柔軟性があるタイプの場合、キャピラリの交換作業は比較的簡単である。
【０００８】
しかしながら、剛性が強いタイプの場合、キャピラリの交換作業は困難である。キャピラリは、直線状の形態をとるか、付与されている部品の重力のため反った形態になる。キャピラリをオーブン等の所定の位置に装着するとき、キャピラリを変形しなければならない。キャピラリの変形作業が困難であるため、キャピラリの交換作業が困難となる。
【０００９】
また、キャピラリの本数が多い場合にも、キャピラリアレイの剛性が強くなり、装着作業が困難となる。
【００１０】
本発明は、キャピラリアレイの装着作業が簡単となるように構成されたキャピラリ電気泳動装置を提供することにある。
【課題を解決するための手段】
【００１１】
本発明は、キャピラリアレイユニット及びそれを用いるキャピラリ電気泳動装置に関する。キャピラリアレイユニットは、キャピラリヘッドと検出部と備えたキャピラリを含むキャピラリアレイと、キャピラリアレイを支持するフレームと、キャピラリの陰極端を保持するロードヘッダと、を有する。フレームは、キャピラリを分離し且つ保持する少なくとも１つのセパレータを有する。キャピラリがセパレータの貫通することによって、キャピラリアレイは一定の形状に保持される。
【発明の効果】
【００１２】
本発明によると、キャピラリアレイの装着作業が簡単となる。
【図面の簡単な説明】
【００１３】
【図１】本発明によるキャピラリ電気泳動装置の基本的構成を示す図である。
【図２】本発明によるキャピラリアレイの基本的構成を示す図である。
【図３】本発明によるキャピラリ電気泳動装置のロードヘッダの装着部を示す図である。
【図４】本発明によるキャピラリ電気泳動装置のロードヘッダ装着後のキャピラリアレイを示す図である。
【図５】本発明によるキャピラリ電気泳動装置のキャピラリヘッドの装着部を示す図である。
【図６】本発明によるキャピラリ電気泳動装置の検出部の装着部を示す図である。
【発明を実施するための形態】
【００１４】
図１は、キャピラリ電気泳動装置の基本的構成を示す概略図である。キャピラリ電気泳動装置は、１又は複数のキャピラリを含むキャピラリ電気泳動部１、キャピラ内の電気泳動媒体によって分離された試料を光学的に検出する光学検出部２、キャピラリに電気泳動媒体である高粘性ポリマ溶液（以下、ポリマと称す）を注入するポリマ注入機構３を有する。
【００１５】
キャピラリ電気泳動部１は、キャピラリアレイ１１０、オーブン（恒温槽）１１５、バッファリザーバ（バッファ容器）１１２、及び、高電圧電源１１４を有する。
【００１６】
キャピラリアレイ１１０は、１又は複数のキャピラリを含むが、ここでは、１６本又は２４本のキャピラリを含むものとする。キャピラリは、石英パイプであり、外被はポリイミド樹脂でコーティングされている。キャピラリには、径が比較的大きい剛性が強いタイプと、径が比較的小さい柔軟性があるタイプがある。剛性が強いタイプの例として、キャピラリの外径が３２０μｍ、内径が５０μｍのものがある。ポリイミドコーティングの厚さは、２０μｍである。従って、ポリイミドコーティングの外径は、３６０μｍである。柔軟性があるタイプの例として、キャピラリの外径が１２５μｍ、内径が５０μｍのものがある。ポリイミドコーティングの厚さは、１２．５μｍである。従って、ポリイミドコーティングの外径は、１５０μｍである。
【００１７】
本例によると、キャピラリアレイ１１０、径が比較的大きい剛性が強いタイプのキャピラリを含むものとする。キャピラリの外径は、０．３〜０．７ｍｍ、内径は、０．０２〜０．２ｍｍ程度である。
【００１８】
キャピラリアレイ１１０の一端は、キャピラリを束ねて接着したキャピラリヘッド２０３となっている。キャピラリアレイ１１０の他端は、ロードヘッダ２０２に保持されている。ロードヘッダ２０２はオーブン１１５に固定されている。
【００１９】
ロードヘッダ２０２には、管状の陰極電極２０４が設けられている。キャピラリは、陰極電極２０４を貫通して、陰極電極２０４の下端より突出している。こうして、キャピラリ陰極端２０６は、バッファリザーバ１１２内のバッファ溶液に漬かっている。
【００２０】
オーブン１１５はキャピラリアレイ１１０を収容し、キャピラリアレイ１１０の温度を調節する。オーブン１１５の熱源にはペルチェ素子が使用され、室温より低い温度から５０℃以上の高温まで温度設定が可能である。
【００２１】
ポリマ注入機構３は、プランジャを有するポンプ１０３、内部に流路を備えるブロック１０４、ポリマを貯蔵するポリマボトル１０１、及び、バッファ溶液を貯蔵するバッファ容器１０７を有する。バッファ容器１０７のバッファ溶液には、陽極電極１０６が漬かっている。ブロック１０４内の流路の内径は０.５〜２ｍｍであり、キャピラリの内径よりも数〜数十倍大きい。これは、電気泳動の際に電圧ロスの発生を回避するためである。
【００２２】
ブロック１０４には、ポンプ１０３、キャピラリヘッド２０３、及び、２つの管１０４ａ、１０４ｂが接続されている。ポンプ１０３、キャピラリヘッド２０３、及び、２つの管１０４ａ、１０４ｂは、ブロック１０４の内の流路によって互いに接続されている。第１の管１０４ａは、ブロック１０４とポリマボトル１０１内のポリマの間を接続している。第１の管１０４ａには、逆止弁１０２が設けられている。第２の管１０４ｂは、ブロック１０４とバッファリザーバ１０７内のバッファ溶液の間を接続している。第２の管１０４ｂには、電動のバッファバルブ１０５が設けられている。
【００２３】
ポリマボトル１０１には、連続運転に必要十分な容量のポリマが貯蔵されている。ポリマボトル１０１からポリマを吸入してもポリマボトル内が負圧にならないように、ポリマボトル１０１には排気弁が設けられ、又は、チューブ挿入口に十分な隙間が設けられている。ポリマボトル１０１はバッファ容器１０７よりも低い位置に配置されている。高低差による圧力でポリマボトル１０１からバッファ容器１０７にポリマが逆流することを回避するためである。逆に、ポリマボトル１０１へポリマもしくはバッファ液の逆流は、逆止弁１０２によって阻止される。２つのバッファリザーバ１１２、１０７内のバッファ液の液面は同一の高さに保持される。
【００２４】
キャピラリアレイ１１０のキャピラリにポリマを注入するときには、電動のバッファバルブ１０５を閉じる。それによって、キャピラリアレイ１１０とバッファリザーバ１０７間の流路が閉鎖される。ポンプ１０３を駆動することによって、ポリマボトル１０１内のポリマをキャピラリに注入する。電気泳動を行うときには、バッファバルブ１０５を開き、キャピラリアレイ１１０とバッファリザーバ１０７間の流路を接続する。
【００２５】
光学検出部２は、光源１１１と光学検出器１０８を有する。光学検出部２は、キャピラリアレイ１１０に設けられた検出部２０５に配置される。検出部２０５は、検出部ホルダ１１６に装着されている。光源１１１は励起光としてレーザ光を発生する。検出部２０５では、キャピラリのコーティングが除去されており、石英パイプが露出している。光源１１１からの励起光は、検出部２０５において、キャピラリ内を電気泳動する検出対象を照射する。検出対象から蛍光が発生する。この蛍光は、光学検出器１０８によって検出される。
【００２６】
電気泳動方法を説明する。図１では省略されているが、サンプルトレイやバッファ容器１１２を搬送するオートサンプラが備えられている。オートサンプラによって、キャピラリの陰極端２０６に、サンプルトレイを配置する。先ず、キャピラリの陰極端２０６の下に、サンプルトレイを配置し、次に、サンプルトレイを上昇させる。サンプルトレイは、多数のウエルを有しており、各ウエルには、蛍光標識されたＤＮＡ等の検査対象を含むサンプルが収納されている。キャピラリ２０１の陰極端２０６は、サンプルトレイのウエルのサンプルに漬かる。次に、陽極電極１０６と陰極電極２０４の間に高電圧電源１１４による数ｋＶ程度の高電圧を印加する。蛍光標識されたＤＮＡ等の検出対象物は、キャピラリの陰極端２０６を介してキャピラリ内に導入される。その後、キャピラリの陰極端２０６は、図１に示すようにバッファ容器１１２に浸けられる。検出対象は、キャピラリ内を移動する間に、分離される。蛍光標識された検出対象が検出部２０５を通過するとき、光源１１１からの励起光が照射される。励起光によって、検出対象は蛍光を発生する。この蛍光は、光学検出器１０８によって検出される。
【００２７】
ポリマ注入機構の動作を説明する。ポンプ１０３において、プランジャをチャンバ内に押し込む方向をモータの正転、プランジャを引き込む方向をモータの反転として説明を行う。まず初めに、バルブ１０５を閉じる。次に、モータを反転する。プランジャが引き込まれ、ポンプ１０３のチャンバ内にポリマボトル１０１内のポリマは、ブロック１０４内の流路を経由して、ポンプ１０３のチャンバ内に吸入される。次に、モータを正転する。プランジャが押し込まれ、ポンプ１０３のチャンバ内のポリマは、ブロック１０４内の流路に押し込まれる。このとき、逆支弁１０２の作用により、ポンプ１０３のチャンバ内のポリマが、ポリマボトル１０１へ逆流することが防止される。従って、ポリマはブロック１０４内の流路を経由してキャピラリに流れ込み、キャピラリの陰極端２０６から流出する。最後に、バルブ１０５を開けて電気泳動に備える。
【００２８】
図２Ａ及び図２Ｂを参照して、本発明のキャピラリアレイユニットの例を説明する。図２Ａは、本例のキャピラリアレイユニットの正面構成を示し、図２Ｂは、その側面構成を示す。本例のキャピラリアレイユニットは、キャピラリアレイ１１０とそれを保持するフレーム３００を有する。図２Ａに示すように、フレーム３００は、第１の足３０１、第１の支持部３０２、第２の足３０３、第２の支持部３０４、及び、第１及び第２のブリッジ３０５、３０６を有する。フレーム３００は、キャピラリアレイ１１０を１平面上に保持するように構成されている。２つの足３０１、３０３は、ロードヘッダ２０２に固定されている。２つの支持部３０２、３０４は、接続部３０７によって接続されている。第１のブリッジ３０５は、第１の足３０１と第１の支持部３０２の接続点と第２の足３０３を架橋している。第２のブリッジ３０６は、第１の支持部３０２と第２の足３０３を架橋している。
【００２９】
第１の支持部３０２には、２つの軸３１１、３１２が設けられている。第２の足３０３には、軸３１３が設けられている。
【００３０】
図２Ｂに示すように、これらの軸３１１、３１２、３１３は、フレーム３００を構成する面に対して直交するように延びている。これらの軸３１１、３１２、３１３には、セパレータ３２１、３２２、３２３が装着されている。セパレータは、フィルム又は板状で、キャピラリの本数と同一数の孔が形成されている。孔の内径はキャピラリの外径よりやや大きく、例えば、φ１ｍｍ程度である。各孔に１本のキャピラリが貫通する。こうして、全てのキャピラリは、セパレータの孔を貫通することによって、保持される。
【００３１】
セパレータは、キャピラリを互いに分離し、キャピラリが互いに絡み合うこと、及び、密集して束状になることを防止する。セパレータの数はキャピラリの長さに応じて増減してよい。通常、キャピラリが長いほどセパレータの数を増やす。
【００３２】
キャピラリアレイ１１０は複数のキャピラリ２０１を有する。本例のキャピラリアレイ１１０は２４本のキャピラリ２０１を有する。本例によると、キャピラリアレイ１１０、径が比較的大きい剛性が強いタイプのキャピラリを含むものとする。キャピラリの外径は、０．３〜０．７ｍｍ、内径は、０．０２〜０．２ｍｍ程度である。
【００３３】
キャピラリアレイ１１０の一端は、キャピラリを束ねて接着したキャピラリヘッド２０３となっている。キャピラリアレイ１１０の他端、即ち、陰極端は、ロードヘッダ２０２に設けられた管状の電極によって保持されている。
【００３４】
本例のキャピラリは比較的剛性が大きいから、外力及び拘束力を加えない限り、直線状の形状を有する。本例では、キャピラリアレイは、ロードヘッダ２０２とフレーム３００によって拘束されている。図示のように、キャピラリアレイは、直線状の部分１１０Ａと湾曲した部分１１０Ｂを有する。直線状の部分１１０Ａは、フレーム３００から突出しており、フレーム３００によって拘束されていない。直線状の部分１１０Ａには、キャピラリヘッド２０３と検出部２０５が含まれる。キャピラリヘッド２０３と検出部２０５の重さにも拘らず、この直線状の部分１１０Ａは、略直線状の形態を保持している。
【００３５】
湾曲した部分１１０Ｂは、ロードヘッダ２０２とセパレータによって拘束されている。キャピラリアレイの形状は、キャピラリアレイに外力を加えないとき、ロードヘッダ２０２とセパレータの位置によって決まる。
【００３６】
次に、キャピラリアレイの形状について説明する。本例によると、キャピラリアレイの直線状の部分１１０Ａは、フレームの第１の支持部３０２に沿って配置されている。キャピラリヘッド２０３、検出部２０５、及び、軸３１１に装着されたセパレータ３２１は、一直線上に配置されている。こうして本例のキャピラリアレイユニットによると、キャピラリアレイの略半分は、略直線状に配置されている。
【００３７】
キャピラリヘッド２０３に、矢印Ａにて示す方向の外力を加える。すると、直線状の部分１１０Ａは、矢印Ａにて示す方向に沿って移動する。それによって、キャピラリは、セパレータ３２１、３２２の孔内をスライドする。こうして、キャピラリヘッド２０３は、矢印Ａにて示す方向に移動する。
【００３８】
図２Ａは、キャピラリアレイに外力を加えないとき、本例のキャピラリアレイの形状を示す。本例のキャピラリアレイユニットを電気泳動装置に装着すると、キャピラリアレイは、図２Ａに示す形状に保持される。即ち、本例のキャピラリアレイユニットを、電気泳動装置に装着しても、キャピラリアレイの形状は、図２Ａに示す形状を保持する。
【００３９】
従って、図２Ａに示すキャピラリアレイにおける、キャピラリヘッド２０３、検出部２０及びロードヘッダ２０２の間の相対的な位置関係は、電気泳動装置に装着されたキャピラリアレイにおけるキャピラリヘッド２０３、検出部２０５及びロードヘッダ２０２の装着位置の間の相対的は位置関係に等しい。
【００４０】
本例によると、セパレータの位置は、キャピラリアレイが、図２Ａに示す形状となるよに、選択する。このように、セパレータの位置を選択することによって、キャピラリアレイ１１０を、電気泳動装置に装着するときに、キャピラリアレイに外力を印加する必要がない。従って、キャピラリアレイを変形することなく、装着することが可能になる。
【００４１】
本例によると、図２Ａに示すように、キャピラリヘッドが下方に配置され、キャピラリアレイの直線部１１０Ａは、傾斜して配置されている。これについて説明する。図１に示したキャピラリ電気泳動装置では、ポリマの使用量を低減するためには、ブロック１０４に接続された管１０４ｂを短くしたほうがよい。管１０４ｂを短くすると、ポリマの使用量を低減させることができるばかりでなく、管１０４ｂの材料費が低減される。管１０４ｂを短くすると、ブロック１０４を下降させるか、又は、バッファリザーバ１０７を上昇させる必要がある。一方、バッファリザーバ１０７の液面とバッファリザーバ１１２の液面を同一レベルにする必要がある。従って、バッファリザーバ１０７を上昇させることはできない。そこで、ブロック１０４を下降させる。即ち、ブロック１０４をできるだけ低い位置に配置する。ブロック１０４を下降させると、キャピラリヘッドの装着位置も低くなる。そのため、図２Ａに示すように、キャピラリアレイの半分は、傾斜する。
【００４２】
次に、図３、図４、図５及び図６を参照して、本発明によるキャピラリアレイの装着手順を説明する。最初に、ロードヘッダ２０２をオーブン１１５に装着する。図３を参照して説明する。図３は、オーブン１１５の下端の一部とロードヘッダ２０２を示す。ロードヘッダに装着されたキャピラリアレイの図示は省略されている。ロードヘッダ２０２にはグリップ２０２ａが設けられている。ユーザは、グリップ２０２ａを掴んで、ロードヘッダ２０２をオーブン１１５の凹部に挿入する。ロードヘッダ２０２の両側面には溝が設けられており、オーブン１１５の凹部の内側には突起が設けられている。ロードヘッダ２０２をオーブン１１５の凹部に挿入すると、ロードヘッダ２０２の溝とオーブン１１５の凹部の突起が係合する。
【００４３】
図４はロードヘッダ２０２をオーブン１１５に装着した状態を示す。図２Ａに示したキャピラリアレイ１１０の形状がそのまま保持されている。本例では、キャピラリヘッド２０３は、ポリマ注入機構３のブロック１０４の装着部の近傍に配置されている。また、検出部２０５は検出部ホルダ１１６の装着部の近傍に配置される。
【００４４】
次に、キャピラリヘッド２０３をポリマ注入機構３のブロック１０４に装着する。図５を参照して説明する。ブロック１０４の穴にフェラル５０１を装填し、そのフェラル５０１にキャピラリヘッド２０３を貫通させる。又は、フェラル５０１にキャピラリヘッド２０３を貫通させ、次に、キャピラリヘッド２０３をフェラル５０１と共に、ブロック１０４の穴に挿入してもよい。このとき、図２を参照して説明したように、小さな力によって、キャピラリヘッド２０３を前後方向に移動させることができる。次に、押しねじ５０２をねじ込んでフェラル５０１を押し潰す。それによって、キャピラリヘッド２０３とブロック１０４の間がシールされ、キャピラリヘッド２０３はブロック１０４に固定される。
【００４５】
図４に示したように、キャピラリヘッド２０３は、ポリマ注入機構３のブロック１０４の装着部の近傍に配置されている。従って、この作業は、キャピラリヘッド２０３を僅かに前後方向に移動させるだけであり、容易である。
【００４６】
最後に、検出部２０５を検出部ホルダ１１６に装着する。図６を参照して説明する。検出部ホルダ１１６に備えられた枠に検出部２０５を嵌め込む。次に、蓋を閉じる。
【００４７】
図４に示したように、検出部２０５は検出部ホルダ１１６の装着部の近傍に配置されている。従って、この作業は、検出部２０５を僅かに横方向に移動させるだけであり、容易である。
【００４８】
以上のように、本例によると、キャピラリアレイを、電気泳動装置に装着する作業を行っているとき、キャピラリアレイを変形させる必要がない。そのため、キャピラリアレイの装着作業を容易に行うことができる。従って、キャピラリアレイの交換作業が容易となる。
【００４９】
以上本発明の例を説明したが、本発明は上述の例に限定されるものではなく、特許請求の範囲に記載された発明の範囲にて様々な変更が可能であることは当業者に容易に理解されよう。
【符号の説明】
【００５０】
１０１…ポリマボトル、１０２…逆止弁、１０３…ポンプ、１０４…ブロック、１０５…バッファバルブ、１０６…電極、１０７…バッファ容器、１０８…光検出器、１１０…キャピラリアレイ、１１１…光源、１１２…バッファ容器、１１３…電極、１１４…高電圧電源、１１５…オーブン、１１６…検出部ホルダ、２０１…キャピラリ、２０２…ロードヘッダ、２０２ａ…グリップ、２０３…キャピラリヘッド、２０４…電極、２０５…検出部、２０５ａ,２０５ｂ…開口、３００…フレーム、３０１…足、３０２…支持部、３０３…足、３０４…支持部、３０５,３０６…ブリッジ、３０７…接続部、３１１,３１２,３１３…軸、３２１,３２２,３２３…セパレータ
【図１】
0005443527.tif 000002
【図２】
0005443527.tif 000003
【図３】
0005443527.tif 000004
【図４】
0005443527.tif 000005
【図５】
0005443527.tif 000006
【図６】
0005443527.tif 000007